(57)【要約】【課題】  ＳＬＲタイプのディジカメにおいて、撮影時の絞り、シャッター等の動作不良を検出すると共に、撮影者に警告を発する。【解決手段】  露出決定時の測光データとは別にレリーズ直前の測光データを記憶し、これと撮影された画像信号から抽出した露出データとを比較し、両者の差異が所定の値よりも大きいときは警告。【選択図】  図１
2005277814.tif 000002
【特許請求の範囲】
【請求項１】
少なくとも被写体像を結像させる撮像光学系と、
被写体像を光電変換する撮像素子と、
撮像素子への光路中に撮像時には光路中から退避するレフレックス光学系を配してファインダースクリーンに結像せしめ被写体像を観測せしめるファインダー光学系と、
撮像素子の出力を処理して所定の画像信号に変換すると共に撮像画像の露光情報を抽出する機能を有する信号処理手段と、
撮像素子への露光時間を制御するためのシャッター手段と、
入射光量を観測する前記撮像素子とは異なる測光手段と、
少なくとも前記測光素子による観測結果に応じて前記シャッター手段の開時間を制御する制御手段を有する静止画撮像装置において、
撮像直前の前記測光手段の観測結果と、
所定時間前記シャッター手段を開いて撮像された画像を前記信号処理手段において処理する際に抽出された露光情報を比較し、
両者の差異が所定値以上であった場合には警告を発する機能を有することを特徴とする静止画撮像装置。
【請求項２】
少なくとも被写体像を結像させる撮像光学系と、
被写体像を光電変換する撮像素子と、
撮像素子への光路中に撮像時には光路中から退避するレフレックス光学系を配してファインダースクリーンに結像せしめ被写体像を観測せしめるファインダー光学系と、
撮像素子の出力を処理して所定の画像信号に変換すると共に撮像画像の露光情報を抽出する機能を有する信号処理手段と、
撮像素子への露光時間を制御するためのシャッター手段と、
入射光量を観測する前記撮像素子とは異なる測光手段と、
少なくとも前記測光素子による観測結果に応じて前記シャッター手段の開時間を制御する制御手段を有する静止画撮像装置において、
撮像直前の前記測光手段の観測結果と、
所定時間前記シャッター手段を開いて撮像された画像を前記信号処理手段において処理する際に抽出された露光情報の差分を各撮影毎に積分蓄積し、
該積分蓄積値が所定の範囲から逸脱した場合には警告を発する機能を有することを特徴とする静止画撮像装置。
【請求項３】
少なくとも被写体像を結像させる撮像光学系と、
被写体像を光電変換する撮像素子と、
撮像素子への光路中に撮像時には光路中から退避するレフレックス光学系を配してファインダースクリーンに結像せしめ被写体像を観測せしめるファインダー光学系と、
撮像素子の出力を処理して所定の画像信号に変換すると共に撮像画像の露光情報を抽出する機能を有する信号処理手段と、
撮像素子への露光時間を制御するためのシャッター手段と、
入射光量を観測する前記撮像素子とは異なる測光手段と、
少なくとも前記測光素子による観測結果に応じて前記シャッター手段の開時間を制御する制御手段と、
撮影画像を表示するための外部表示装置とを有する静止画撮像装置において、
撮像直前の前記測光手段の観測結果と、
所定時間前記シャッター手段を開いて撮像された画像を前記信号処理手段において処理する際に抽出された露光情報を比較し、
両者の差異が所定値以上であった場合には、
前記外部表示装置への撮影画像確認表示が行われないモードになっていても撮影画像確認表示を行うことを特徴とする静止画撮像装置。
【発明の詳細な説明】
【技術分野】
【０００１】
本発明は光電変換素子を用いて画像を電子情報に変換する静止画撮像装置に関し、特に光路中にシャッターを有する静止画撮像装置に関する。
【背景技術】
【０００２】
従来より特開2004−78083にあるような、いわゆる一眼レフレックス（以下ＳＬＲと略す）タイプのファインダーを有する静止画撮像装置が知られている。
【０００３】
この種の静止画撮像装置では撮像光学系を経た光束をファインダースクリーンに導き、ファインダースクリーン上に結像した被写体像を観察して撮影動作を行うためファインダーパララックスが無く、また従来よりある銀塩フィルムを用いたＳＬＲカメラと同様の操作性を有するため使用者に容易に操作に習熟できるという特徴があるとともに、撮影画像を撮影後すぐに液晶等を用いた表示部に表示できるため、撮影画像の確認が容易なものとなっている。
【発明の開示】
【発明が解決しようとする課題】
【０００４】
しかしながら、上述従来の静止画撮影装置では、絞り装置、あるいはシャッター装置と言った露出制御手段に異常が発生した場合に撮影終了後にLCD等の表示装置で撮影画像を確認するか、場合によってはPC等に撮影データを取り込んで撮影画像を確認するまで異常を検知することが出来なかった。
【０００５】
本発明は上述従来例の有する課題に鑑みてなされたものであり、撮影時に露出制御手段の異常を検知することの出来る静止画撮影装置を提供することを目的とする。
【課題を解決するための手段】
【０００６】
上述従来例の課題を解決するために本発明にかかる静止画撮像装置においては、撮影直前の露出情報を記憶する手段、撮影画像から露出情報を算出する手段および前記二つの露出情報を比較する手段を有し、前記比較手段の出力が所定の範囲内に無い場合には撮影者に対して警告を発する手段を有するものである。
【０００７】
さらに本発明にかかる静止画撮像装置においては、前記比較手段の出力の累積を保存し、前記累積が所定の値を越えた場合には使用者に対して露出機構の再調整を促す警告を発する手段を有するものである。
【０００８】
さらに本発明にかかる静止画撮像装置においては、液晶等を用いた外部表示装置を用いたクイックレビュー機能が使用者によって停止されている場合であって、前記比較手段の出力が所定の範囲内にない場合にはクイックレビューを行うことを特徴とする。
【発明の効果】
【０００９】
以上述べたように、本発明の第一の実施例の静止画撮像装置をによればいわゆるSLRタイプの静止画撮像装置において撮影中の絞りユニットないしシャッターという露出制御機構の不具合を検知し撮影者に警告を与えることが可能となる。
【００１０】
また、本発明の第二の実施例の静止画撮像装置によればいわゆるSLRタイプの静止画撮像装置において絞りユニットないしシャッターという露出制御機構の制御精度が徐々に悪化した場合に撮影者に点検調整を促すことが可能となる。
【００１１】
さらに本発明の第三の実施例の静止画撮像装置によればわゆるSLRタイプの静止画撮像装置において撮影中の絞りユニットないしシャッターという露出制御機構の不具合を検知した場合には速やかに撮影画像の確認が可能な静止画撮像装置を提供する。
【発明を実施するための最良の形態】
【００１２】
以下、本発明の実施例を図面に基づいて説明する。
【００１３】
図１は本発明の静止画撮像装置の第一の実施例の構成を示すブロック図であり、図中１はレンズユニット、２は可動ミラー、３はファインダースクリーン、４は測光素子、５はシャッター、６は撮像素子、７は信号処理回路、８は記録手段、９は制御手段、１０はレリーズスイッチ、１１は液晶表示パネル等を用いた外部表示装置である。またレンズユニット１には繰り出し可能なレンズブロック１−１および絞りユニット１−２が含まれている。
【００１４】
図に従って動作を説明する。不図示の被写体像はレンズブロック１−１において集光された後、撮像素子６の光電変換面と光学的に等価な位置にあるファインダースクリーン３上に可動ミラー２で反射されて結像する。この際、レンズブロック１−１の繰り出し量は被写体距離に応じて適宜調節され、また絞りユニット１−２の開口径はレリーズシーケンス以外では開放位置に、レリーズシーケンスにおいては制御手段９によって適切な光量となるように制御される。
【００１５】
可動ミラー２は通常は光路中にあってレンズブロック１−１からの光束をファインダースクリーン３に導くが、レリーズシーケンス中は光路から退避し、レンズブロック１−１からの光束はシャッター５および撮像素子６へと導かれる。
【００１６】
ファインダースクリー３上に結像した被写体像の照度分布は測光素子４によって検出され、その結果は制御手段９に入力される。
【００１７】
シャッター５は通常は閉じられており撮像素子６への光束を遮断しているが、レリーズシーケンス中には制御手段９からの信号に応じて開閉し、撮像素子６上において適切な像面光量となるように制御される。
【００１８】
レリーズスイッチ１０は押し下げられていない状態の他に半押し状態および全押し状態の二つの状態をとることが可能であり、該レリーズスイッチ１０の三つの状態は制御手段９によって検出される。
【００１９】
制御手段９によってレリーズスイッチ１０の半押し状態が検出されるとレリーズシーケンスが開始される。図２は本実施例のレリーズシーケンスを示すフローチャートである。
【００２０】
レリーズシーケンスが開始されると測光素子４からの第一の測光データが制御手段９に読み込まれ、読み込まれた第一の測光データをもとに制御手段９において適正な露光量を得るための絞り値およびシャッター秒時が算出される。
【００２１】
その後、レリーズスイッチ１０の状態が全押しになっているかどうかが判定され、全押しになっていない場合は所定時間後に再度レリーズスイッチ１０の状態が判定される。レリーズスイッチ１０が全押しになっている場合は露光シーケンスが開始される。
【００２２】
露光シーケンスに入ると第一に測光素子４からの第二の測光データが制御手段９に読み込まれ記憶された後に可動ミラー２が光路中から待避するとともに、絞りユニット１−２は前記第一の測光データに基づいて決定された絞り値に絞り込まれる。
【００２３】
シャッター５は可動ミラー２の待避および絞りユニット１−２の絞り込み動作が完了すると開かれ、前記第一の測光データに基づいて決定された露光時間経過後に閉じられる。
【００２４】
シャッター５が閉じられた後に撮像素子６上で光電変換された被写体像は電気信号として読み出され、信号処理回路７において所定の処理を施され画像信号に変換された後、記録手段８に記録されるとともに、外部表示装置１１へのクイックレビュー表示が選択されている場合には外部表示装置１１に撮影画像が表示され、さらに信号処理回路７内の露光データ検出部において露光データが検出され制御手段９に読み込まれる。
【００２５】
制御手段９においては前記第二の測光データおよび前記露光データとを比較し、両者の差異が所定の範囲内に無い場合には該絞りユニット１−２ないし該シャッター５が正常に動作していない可能性が高いので撮影者に対して警告信号を発するものの、露光シーケンス中に被写体に変化が生じた可能性もあるので記録手段８への記録は通常通りに行われる。
【００２６】
前記警告信号はたとえばカメラの動作状態に応じて音を発して撮影者に動作状態を知らしめるための発音体を用いてもいいし、ファインダー内に警告表示を行ってもよく、あるいはその両者を任意に選択ないし同時に行ってもよい。
【００２７】
図３は本発明の第二の実施例の動作を示すフローチャートである。なお、本実施例を実現するために必要な構成のブロック図は本発明の第一の実施例の構成を示すブロック図と同等である。
【００２８】
本実施例においては露光シーケンスにおいて検出された第二の測光データと露光データの差異は制御手段９中の所定レジスターに積分蓄積される。制御手段９においては該所定レジスターに積分蓄積された差異データが所定の範囲から逸脱した場合には絞りユニット１−２ないしシャッター５の調整精度に狂いが発生してきているものとみなせるので、撮影者に対してカメラの点検調整を促す警告信号を発する。この場合、該警告信号はサービス工場などにおいて所定の点検調整が行われるまで毎撮影時に発せられることになる。
【００２９】
ただし、当該警告信号が発せられた場合でもすぐには所定の点検調整が行えず、その場合には当該警告信号が毎撮影時に発せられるのが煩雑である場合には、撮影者による選択に応じて当該警告信号を一時的に停止することも出来る。
【００３０】
図４は本発明の第三の実施例の動作を示すフローチャートであり、本実施例においても、その実現のために必要な構成のブロック図は本発明の第一の実施例の構成を示すブロック図と同等である。
【００３１】
本実施例においては露光シーケンス中に制御手段９において比較された前記第二の測光データおよび前記露光データとの差異が所定の範囲内に無い場合には外部表示装置１１へのクイックレビュー表示が選択されていない場合であっても該絞りユニット１−２ないし該シャッター５が正常に動作していない可能性が高いので撮影者に対して警告信号を発するとともに、当該撮影画像を該外部表示装置１１に表示し、撮影者が撮影画像を確認することを可能にする。
【図面の簡単な説明】
【００３２】
【図１】本発明にかかる静止画撮像装置の構成を示すブロック図。
【図２】本発明の第一の実施例の動作を示すフローチャート。
【図３】本発明の第二の実施例の動作を示すフローチャート。
【図４】本発明の第三の実施例の動作を示すフローチャート。
【符号の説明】
【００３３】
１  レンズユニット
２  可動ミラー
３  ファインダースクリーン
４  測光素子
５  シャッター
６  撮像素子
７  信号処理回路
８  記録手段
９  制御手段
１０  レリーズスイッチ
１１  外部表示装置
【図１】
2005277814.tif 000003
【図２】
2005277814.tif 000004
【図３】
2005277814.tif 000005
【図４】
2005277814.tif 000006